【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
第１チェックバルブ、第２チェックバルブ、及び流入/流出ポートを具えたバルブアセンブリであって、
第１チェックバルブは、第１チェックバルブの流入口における正圧の印加に応答して流体を流すように構成され、第１チェックバルブの流出口は、少なくとも流体システムの一部と流体接続しており、
共通の補充/排出場所における流入/流出ポートからの正圧の印加によって、共通の補充/排出場所から第１チェックバルブを通って流体システムに流体が流れ、
第２チェックバルブは、第１チェックバルブの流入口と流体接続する流出口を有し、第２チェックバルブの流出口における負圧の印加に応答して流体を流すように構成されており、
第２チェックバルブは、少なくとも流体システムの一部と流体接続している第２チェックバルブの流入口を更に有しており、
共通の補充/排出場所における流入/流出ポートからの負圧の印加によって、流体システムから第２チェックバルブを通って共通の補充/排出場所に流体が流れ、
流入/流出ポートは、共通の補充/排出場所にて、第１チェックバルブの流入口と、第２チェックバルブの流出口とに直接に流体接続するバルブアセンブリ。
【請求項２】
流体システムの一部は、少なくともプレフィルタ部を含む、請求項１のバルブアセンブリ。
【請求項３】
更に、流体システムのプレフィルタ部は、少なくとも１つの流体フィルタと流体接続している、請求項２のバルブアセンブリ。
【請求項４】
更に、第２チェックバルブは、少なくとも１つの流体リザーバと流体接続している、請求項１のバルブアセンブリ。
【請求項５】
更に、流入/流出ポートと動作上関係している少なくとも１つのクイックディスコネクト接続がある、請求項１のバルブアセンブリ。
【請求項６】
流入/流出ポートと流体接続する少なくとも１つの流体用構成要素を更に具える、請求項１のバルブアセンブリ。
【請求項７】
第１バルブアセンブリ及び第２バルブアセンブリを具えたバルブシステムであって、
第１バルブアセンブリは、第１チェックバルブ、第２チェックバルブ、及び第１流入/流出ポートを具えており、
第１チェックバルブは、第１チェックバルブの流入口における正圧の印加に応答して流体を流すように構成され、第１チェックバルブの流出口は、第１流体システムの第１部分と流体接続しており、
第１の共通の補充/排出場所における第１流入/流出ポートからの正圧の印加によって、第１の共通の補充/排出場所から第１チェックバルブを通って第１流体システムの第１部分に流体が流れ、
第２チェックバルブは、第１チェックバルブの流入口と流体接続する流出口を有し、第２チェックバルブの流出口における負圧の印加に応答して流体を流すように構成されており、
第２チェックバルブは、少なくとも第１流体システムの第１部分と流体接続している第２チェックバルブの流入口を更に有しており、
第１の共通の補充/排出場所における第１流入/流出ポートからの負圧の印加によって、第１流体システムの第１部分から第２チェックバルブを通って第１の共通の補充/排出場所に流体が流れ、
第１流入/流出ポートは、第１の共通の補充/排出場所にて、第１チェックバルブの流入口と、第２チェックバルブの流出口とに直接に流体接続しており、
第２バルブアセンブリは、第３チェックバルブ、第４チェックバルブ、及び第２流入/流出ポートを具えており、
第３チェックバルブは、第３チェックバルブの流入口における正圧の印加に応答して流体を流すように構成され、第３チェックバルブの流出口は、第２流体システムの第２部分と流体接続しており、
第２の共通の補充/排出場所における第２流入/流出ポートからの正圧の印加によって、第２の共通の補充/排出場所から第３チェックバルブを通って第２流体システムの第２部分に流体が流れ、
第４チェックバルブは、第３チェックバルブの流入口と流体接続する流出口を有し、第４チェックバルブの流出口における負圧の印加に応答して流体を流すように構成されており、
第４チェックバルブは、少なくとも第２流体システムの第２部分と流体接続している第４チェックバルブの流入口を更に有しており、
第２の共通の補充/排出場所における第２流入/流出ポートからの負圧の印加によって、第２流体システムの第２部分から第４チェックバルブを通って第２の共通の補充/排出場所に流体が流れ、
第２流入/流出ポートは、第２の共通の補充/排出場所にて、第３チェックバルブの流入口と、第４チェックバルブの流出口とに直接に流体接続しているバルブシステム。
【請求項８】
第１流体システムの第１部分及び第２流体システムの第２部分の少なくとも１つは、少なくともプレフィルタ部を含む、請求項７のバルブシステム。
【請求項９】
更に、プレフィルタ部は、少なくとも１つの流体フィルタと流体接続している、請求項８のバルブシステム。
【請求項１０】
更に、第２チェックバルブ及び第４チェックバルブの少なくとも１つは、少なくとも１つの流体用リザーバと流体接続している、請求項７のバルブシステム。
【請求項１１】
更に、第１流入/流出ポート及び第２流入/流出ポートの少なくとも１つと動作上関係している少なくとも１つのクイックディスコネクト接続がある、請求項７のバルブシステム。
【請求項１２】
上記流入/流出ポートの少なくとも１つと流体接続する少なくとも１つの流体用構成要素を更に具える、請求項７のバルブシステム。
【請求項１３】
更に、少なくとも第３バルブアセンブリを具えており、
第３バルブアセンブリは、第５チェックバルブ、第６チェックバルブ、及び第３流入/流出ポートを具えており、
第５チェックバルブは、第５チェックバルブの流入口における正圧の印加に応答して流体を流すように構成され、第５チェックバルブの流出口は、第３流体システムの第３部分と流体接続しており、
第３の共通の補充/排出場所における第３流入/流出ポートからの正圧の印加によって、第３の共通の補充/排出場所から第５チェックバルブを通って第３流体システムに流体が流れ、
第６チェックバルブは、第５チェックバルブの流入口と流体接続する流出口を有し、第６チェックバルブの流出口における負圧の印加に応答して流体を流すように構成されており、
第６チェックバルブは、少なくとも第３流体システムの第３部分と流体接続している第６チェックバルブの流入口を更に有しており、
第３の共通の補充/排出場所における第３流入/流出ポートからの負圧の印加によって、第３流体システムの第３部分から第４チェックバルブを通って第３の共通の補充/排出場所に流体が流れ、
第３流入/流出ポートは、第３の共通の補充/排出場所にて、第５チェックバルブの流入口と、第６チェックバルブの流出口とに直接に流体接続している、請求項７のバルブシステム。
【請求項１４】
第１流体システムの第１部分、第２流体システムの第２部分及び第３流体システムの第３部分の少なくとも１つは、少なくともプレフィルタ部を含む、請求項１３のバルブシステム。
【請求項１５】
更に、プレフィルタ部は、少なくとも１つの流体フィルタと流体接続している、請求項１４のバルブシステム。
【請求項１６】
更に、第２チェックバルブ、第４チェックバルブ及び第６チェックバルブの少なくとも１つは、少なくとも１つの流体リザーバと流体接続している、請求項１３のバルブシステム。
【請求項１７】
更に、上記流入/流出ポートの少なくとも１つと動作上関係している少なくとも１つのクイックディスコネクト接続がある、請求項１３のバルブシステム。
【請求項１８】
上記流入/流出ポートの少なくとも１つと流体接続する少なくとも１つの流体用構成要素を更に具える、請求項１３のバルブシステム。
【請求項１９】
第１バルブアセンブリと、少なくとも第２バルブアセンブリを具えたモジュールであって、
第１バルブアセンブリは、第１チェックバルブ、第２チェックバルブ、及び第１流入/流出ポートを具えており、
第１チェックバルブは、第１チェックバルブの流入口における正圧の印加に応答して流体を流すように構成され、第１チェックバルブの流出口は、第１流体システムの第１部分と流体接続しており、
第１の共通の補充/排出場所における第１流入/流出ポートからの正圧の印加によって、第１の共通の補充/排出場所から第１チェックバルブを通って第１流体システムに流体が流れ、
第２チェックバルブは、第１チェックバルブの流入口と流体接続する流出口を有し、第２チェックバルブの流出口における負圧の印加に応答して流体を流すように構成されており、
第２チェックバルブは、少なくとも第１流体システムの第１部分と流体接続している第２チェックバルブの流入口を更に有しており、
第１の共通の補充/排出場所における第１流入/流出ポートからの負圧の印加によって、第１流体システムの第１部分から第２チェックバルブを通って第１の共通の補充/排出場所に流体が流れ、
第１流入/流出ポートは、第１の共通の補充/排出場所にて、第１チェックバルブの流入口と、第２チェックバルブの流出口とに直接に流体接続しており、
第２バルブアセンブリは、第３チェックバルブ、第４チェックバルブ、及び第２流入/流出ポートを具えており、
第３チェックバルブは、第３チェックバルブの流入口における正圧の印加に応答して流体を流すように構成され、第３チェックバルブの流出口は、第２流体システムの第２部分と流体接続しており、
第２の共通の補充/排出場所における第２流入/流出ポートからの正圧の印加によって、第２の共通の補充/排出場所から第３チェックバルブを通って第２流体システムに流体が流れ、
第４チェックバルブは、第３チェックバルブの流入口と流体接続する流出口を有し、第４チェックバルブの流出口における負圧の印加に応答して流体を流すように構成されており、
第４チェックバルブは、少なくとも第２流体システムの第２部分と流体接続している第４チェックバルブの流入口を更に有しており、
第２の共通の補充/排出場所における第２流入/流出ポートからの負圧の印加によって、第２流体システムの第２部分から第４チェックバルブを通って第２の共通の補充/排出場所に流体が流れ、
第２流入/流出ポートは、第２の共通の補充/排出場所にて、第３チェックバルブの流入口と、第４チェックバルブの流出口とに直接に流体接続しており、
第１バルブアセンブリと第２バルブアセンブリが互いに結合されて、上記モジュールを形成しているモジュール。
【請求項２０】
第１流体システムの第１部分及び第２流体システムの第２部分の少なくとも１つは、少なくともプレフィルタ部を含む、請求項１９のモジュール。
【請求項２１】
更に、プレフィルタ部は、少なくとも１つの流体フィルタと流体接続している、請求項２０のモジュール。
【請求項２２】
更に、第２チェックバルブ及び第４チェックバルブの少なくとも１つは、少なくとも１つの流体リザーバと流体接続している、請求項１９のモジュール。
【請求項２３】
更に、上記流入/流出ポートの少なくとも１つと動作上関係している少なくとも１つのクイックディスコネクト接続がある、請求項１９のモジュール。
【請求項２４】
上記流入/流出ポートの少なくとも１つと流体接続する少なくとも１つの流体用構成要素を更に具える、請求項１９のモジュール。
【請求項２５】
流体システムにおいて少なくとも１つの流体動作を実行する方法において、
第１チェックバルブの流入口における正圧の印加に応答して流体を流すように、更に、第１チェックバルブの流出口が、流体システムの第１部分と流体接続するように第１チェックバルブを構成する工程であって、共通の補充/排出場所における流入/流出ポートからの正圧の印加によって、共通の補充/排出場所から第１チェックバルブを通って流体システムに流体が流れる工程と、
第１チェックバルブの流入口と流体接続する第２チェックバルブの流出口を有し、第２チェックバルブの流出口における負圧の印加に応答して流体を流すように、更に、少なくとも流体システムの第１部分と流体接続している第２チェックバルブの流入口を有するように第２チェックバルブを構成する工程であって、共通の補充/排出場所における流入/流出ポートからの負圧の印加によって、流体システムから第２チェックバルブを通って共通の補充/排出場所に流体が流れる工程と、
共通の補充/排出場所にて、第１チェックバルブの流入口と、第２チェックバルブの流出口とに直接に流体接続するように、流入/流出ポートを配置する工程とを含む方法。
【請求項２６】
流体システムの第１部分は、少なくともプレフィルタ部を含む、請求項２５の方法。
【請求項２７】
流体システムのプレフィルタ部を、少なくとも１つの流体フィルタと流体接続するように構成する工程を更に含む、請求項２６の方法。
【請求項２８】
第２チェックバルブを、少なくとも１つの流体リザーバと流体接続するように配置する工程を更に含む、請求項２５の方法。
【請求項２９】
少なくとも１つのクイックディスコネクト接続を、流入/流出ポートと動作上関係させる工程を更に含む、請求項２５の方法。
【請求項３０】
流入/流出ポートと流体接続する少なくとも１つの流体用構成要素を動作上関係させる工程を更に含む、請求項２５の方法。
【請求項３１】
共通の補充/排出場所に正圧を印加する工程を更に含む、請求項２５の方法。
【請求項３２】
共通の補充/排出場所に正圧を印加する工程の後に、共通の補充/排出場所に負圧を印加する工程を更に含む、請求項３１の方法。
【請求項３３】
共通の補充/排出場所に正圧を印加することで、少なくとも１つの流体補充動作を実行する工程を更に含む、請求項３１の方法。
【請求項３４】
共通の補充/排出場所に正圧を印加することで、少なくとも１つの流体パージ動作を実行する工程を更に含む、請求項３１の方法。
【請求項３５】
共通の補充/排出場所に負圧を印加する工程を更に含む、請求項２５の方法。
【請求項３６】
共通の補充/排出場所に負圧を印加する工程の後に、共通の補充/排出場所に正圧を印加する工程を更に含む、請求項３５の方法。
【請求項３７】
共通の補充/排出場所に負圧を印加することで、少なくとも１つの流体排出動作を実行する工程を更に含む、請求項３５の方法。
【請求項３８】
流体動作を実行する方法において、
第１チェックバルブの流入口における正圧の印加に応答して流体を流すように、更に、第１チェックバルブの流出口が、流体システムの一部と流体接続するように第１チェックバルブを構成する工程であって、共通の補充/排出場所における流入/流出ポートからの正圧の印加によって、共通の補充/排出場所から第１チェックバルブを通って流体システムに流体が流れる工程と、
第１チェックバルブの流入口と流体接続する第２チェックバルブの流出口を有し、第２チェックバルブの流出口における負圧の印加に応答して流体を流すように、更に、少なくとも流体システムの一部と流体接続している第２チェックバルブの流入口を有するように第２チェックバルブを構成する工程であって、共通の補充/排出場所における流入/流出ポートからの負圧の印加によって、流体システムから第２チェックバルブを通って共通の補充/排出場所に流体が流れる第２チェックバルブを構成する工程と、
共通の補充/排出場所にて、第１チェックバルブの流入口と、第２チェックバルブの流出口とに直接に流体接続するように、流入/流出ポートを配置する工程と、
共通の補充/排出場所に流入/流出ポートからの正圧を印加して、流体システムの一部の少なくともプレフィルタ部をパージする工程と、
共通の補充/排出場所に流入/流出ポートからの負圧を印加して、流入/流出ポートを通って流体を排出する工程と、
共通の補充/排出場所に流入/流出ポートからの正圧を印加して、少なくとも流体システムの一部を通って、少なくとも１つの流体を補充する工程とを含む方法。
【請求項３９】
流体システムの一部は、少なくとも１つの流体フィルタ部を含む、請求項３８の方法。
【請求項４０】
第１チェックバルブ、第２チェックバルブ、及び流入/流出ポートを具えたバルブアセンブリであって、
第１チェックバルブは、第１チェックバルブの流入口における正圧の印加に応答して流体を流すように構成され、第１チェックバルブの流出口は、少なくとも流体システムの一部と流体接続しており、
共通の補充/排出場所における流入/流出ポートからの正圧の印加によって、共通の補充/排出場所から第１チェックバルブを通って流体システムに流体が流れ、
第２チェックバルブは、第１チェックバルブの流入口と流体接続する流出口を有し、第２チェックバルブの流出口における負圧の印加に応答して流体を流すように構成されており、
第２チェックバルブは、少なくとも流体システムの一部と流体接続している第２チェックバルブの流入口を更に有しており、
共通の補充/排出場所における流入/流出ポートからの負圧の印加によって、流体システムから第２チェックバルブを通って共通の補充/排出場所に流体が流れ、
流入/流出ポートは、共通の補充/排出場所にて、第１チェックバルブの流入口と、第２チェックバルブの流出口とに直接に流体接続し、
流体システムのプレフィルタ部は、少なくとも１つの流体フィルタと流体接続しているバルブアセンブリ。